(57)【要約】【課題】紙媒体の印刷物に掲載された情報のみならず、掲載されなかった情報についても、利用者が携帯端末から容易に取得できるようにする。【解決手段】本発明のポータルサイトシステム４０は、印刷物に印刷された記事の近傍に印刷されたバーコードを読み取ったバーコード読取機能５６付きの携帯端末５５に対して、この記事の関連情報を提供する。このシステム４０は、関連情報の電子データをタイトルと共に格納するデータベース３２を備える。そして、バーコードを読み取った携帯端末５５から送信された読取情報に基づいて、データベース３２からタイトルを取得して携帯端末５５に送信し、表示画面５７から一覧表示させる。また、携帯端末５５から選択信号が送信されると、この選択信号に対応する電子データをデータベース３２から取得し、取得した電子データを携帯端末５５の表示画面５７から表示させる。【選択図】図５
2006244071.tif 000002
【特許請求の範囲】
【請求項１】
印刷物に印刷された記事の近傍に、当該記事の関連情報にアクセスするためのアクセス情報を含むバーコードを印刷する印刷ステップと、
前記関連情報の電子データを、記憶装置内に、この電子データのタイトルとともに格納する情報格納ステップと、
利用者がバーコード読取機能付きの携帯端末を用いて前記バーコードを読み取り、この読取情報をポータルサイトに送信する送信ステップと、
前記ポータルサイトが、前記送信された前記読取情報を受信し、前記受信した読取情報に対応するアクセス情報に基づき、前記記憶装置に格納されている電子データのタイトルを取得する取得ステップと、
前記ポータルサイトが、前記取得したタイトルを前記携帯端末に送信し、前記携帯端末から一覧表示させ、一覧表示されたタイトルの中から何れかを選択するように前記利用者に対して要求する要求ステップと、
この要求に対して前記利用者が選択を行い、前記携帯端末から前記ポータルサイトに対して選択信号を送信する選択ステップと、
前記ポータルサイトが、前記選択信号に対応する電子データを前記記憶装置から取得し、取得した電子データを前記携帯端末に送信し、前記携帯端末から表示させる表示ステップと
を備えた情報提供方法。
【請求項２】
請求項１に記載の情報提供方法において、
前記情報格納ステップでその電子データが格納される関連情報は、前記印刷物に未掲載である情報提供方法。
【請求項３】
請求項１又は請求項２に記載の情報提供方法において、
前記情報格納ステップで格納された各電子データのうち、互いに関連のある電子データについてリンク情報を設定する設定ステップと、
前記取得ステップで取得されたタイトルの電子データにリンク情報が設定された電子データのタイトルを前記記憶装置から取得する第２の取得ステップと
を更に備えた情報提供方法。
【請求項４】
請求項１乃至３のうち何れか１項に記載の情報提供方法において、
前記電子データに関連する画像データをそのタイトルと共に、前記記憶装置内に、関連する電子データに関連付けて格納する画像格納ステップを更に備え、
前記表示ステップでは、前記ポータルサイトが、前記選択信号に対応する電子データに加えて、前記電子データに関連付けて格納された画像データを前記記憶装置から取得し、取得した電子データ及び画像データを前記携帯端末に送信し、前記携帯端末から表示させるようにした情報提供方法。
【請求項５】
請求項４に記載の情報提供方法において、
前記画像格納ステップでその画像データが格納される画像は、前記印刷物に未掲載である情報提供方法。
【請求項６】
請求項５に記載の情報提供方法において、
前記情報格納ステップで格納された各電子データ、及び前記画像格納ステップで格納された各画像データのうち、互いに関連のあるデータ同士についてリンク情報を設定する第２の設定ステップと、
前記取得ステップで取得されたタイトルの電子データにリンク情報が設定された電子データ及び画像データのタイトルを取得する第３の取得ステップと
を更に備えた情報提供方法。
【請求項７】
請求項１乃至６のうち何れか１項に記載の情報提供方法において、
前記印刷物に印刷されたバーコードのうちの何れかは、前記印刷物が配達された地域を識別する地域識別情報を更に含み、
前記取得ステップでは、前記ポータルサイトが、前記記憶装置から電子データのタイトルを取得する時、前記記憶装置に格納されている電子データに含まれる地域識別情報が、前記受信した読取情報に含まれる地域識別情報と一致しない場合にのみ、前記記憶装置に格納されている電子データのタイトルを取得するようにした情報提供方法。
【請求項８】
印刷物に印刷された記事の近傍に印刷され、当該記事の関連情報にアクセスするためのアクセス情報が含まれたバーコードを読み取ったバーコード読取機能付きの携帯端末に対して前記関連情報を提供するポータルサイトシステムであって、
前記関連情報の電子データを、記憶装置内に、この電子データのタイトルとともに格納する電子データ格納手段と、
前記バーコードを読み取った携帯端末から送信された読取情報を受信し、前記受信した読取情報に対応するアクセス情報に基づき、前記記憶装置に格納されている電子データのタイトルを取得するタイトル取得手段と、
前記取得したタイトルを前記携帯端末に送信し、前記携帯端末から一覧表示させるタイトル送信手段と、
前記一覧表示されたタイトルの中から選択されたタイトルを表す選択信号が前記携帯端末から送信されると、この選択信号を受信し、前記選択信号に対応する電子データを前記記憶装置から取得する電子データ取得手段と、
前記取得された電子データを前記携帯端末に送信し、前記携帯端末から表示させる電子データ送信手段と
を備えたポータルサイトシステム。
【請求項９】
請求項８に記載のポータルサイトシステムにおいて、
前記記憶装置内にその電子データが格納される関連情報は、前記印刷物に未掲載であるポータルサイトシステム。
【請求項１０】
請求項８又は請求項９に記載のポータルサイトシステムにおいて、
前記記憶装置内に格納された各電子データのうち、互いに関連のある電子データについてリンク情報を設定するリンク設定手段と、
前記タイトル取得手段によって取得されたタイトルの電子データに前記リンク情報が設定された電子データのタイトルを前記記憶装置から取得する第２のタイトル取得手段と
を更に備えたポータルサイトシステム。
【請求項１１】
請求項８乃至１０のうち何れか１項に記載のポータルサイトシステムにおいて、
前記電子データに関連する画像データをそのタイトルと共に、前記記憶装置内に、関連する電子データに関連付けて格納する画像データ格納手段を更に備え、
前記電子データ取得手段は、前記選択信号に対応する電子データに加えて、前記電子データに関連付けて格納された画像データを前記記憶装置から取得し、前記電子データ送信手段は、前記取得された電子データ及び画像データを前記携帯端末に送信し、前記携帯端末から表示させるようにしたポータルサイトシステム。
【請求項１２】
請求項１１に記載のポータルサイトシステムにおいて、
前記画像データ格納手段によってその画像データが格納される画像は、前記印刷物に未掲載であるポータルサイトシステム。
【請求項１３】
請求項１２に記載のポータルサイトシステムにおいて、
前記電子データ格納手段で格納された各電子データ、及び前記画像データ格納手段で格納された各画像データのうち、互いに関連のあるデータ同士についてリンク情報を設定する第２のリンク設定手段と、
前記タイトル取得手段によって取得されたタイトルの電子データにリンク情報が設定された電子データ及び画像データのタイトルを前記記憶装置から取得する第３のタイトル取得手段と
を更に備えたポータルサイトシステム。
【請求項１４】
請求項８乃至１３のうち何れか１項に記載のポータルサイトシステムにおいて、
前記印刷物に印刷されたバーコードのうちの何れかは、前記印刷物が配達された地域を識別する地域識別情報を更に含み、
前記タイトル取得手段は、前記記憶装置から電子データのタイトルを取得する時、前記記憶装置に格納されている電子データに含まれる地域識別情報が、前記受信した読取情報に含まれる地域識別情報と一致しない場合にのみ、前記記憶装置に格納されている電子データのタイトルを取得するようにしたポータルサイトシステム。
【請求項１５】
印刷物に印刷された記事の近傍に印刷され、当該記事の関連情報にアクセスするためのアクセス情報が含まれたバーコードを読み取ったバーコード読取機能付きの携帯端末に対して前記関連情報を提供するポータルサイトシステムに適用されるプログラムであって、
前記関連情報の電子データを、記憶装置内に、この電子データのタイトルとともに格納する機能、
前記バーコードを読み取った携帯端末から送信された読取情報に対応するアクセス情報に基づき、前記記憶装置に格納されている電子データのタイトルを取得する機能、
前記取得したタイトルを前記携帯端末に送信し、前記携帯端末から一覧表示させる機能、
前記携帯端末から送信され、前記一覧表示されたタイトルの中から選択されたタイトルを表す選択信号、に対応する電子データを前記記憶装置から取得する機能、
前記取得された電子データを前記携帯端末に送信し、前記携帯端末から表示させる機能
をコンピュータに実現させるためのプログラム。
【請求項１６】
請求項１５に記載のプログラムにおいて、
前記記憶装置内に格納された各電子データのうち、互いに関連のある電子データについてリンク情報を設定する機能、
前記取得されたタイトルの電子データに前記リンク情報が設定された電子データのタイトルを取得する機能
を更にコンピュータに実現させるためのプログラム。
【請求項１７】
請求項１５又は請求項１６に記載のプログラムにおいて、
前記電子データに関連する画像データをそのタイトルと共に、前記記憶装置内に、関連する電子データに関連付けて格納する機能を更にコンピュータに実現させるとともに、
前記電子データを送信する機能は、前記選択信号に対応する電子データに加えて、前記電子データに関連付けて格納された画像データを取得し、前記表示させる機能は、前記取得された電子データ及び画像データを前記携帯端末に送信し、前記携帯端末から表示させることをコンピュータに実現させるためのプログラム。
【請求項１８】
請求項１７に記載のプログラムにおいて、
前記格納された各電子データ、及び前記格納された各画像データのうち、互いに関連のあるデータ同士についてリンク情報を設定する機能、
前記取得されたタイトルの電子データにリンク情報が設定された電子データ及び画像データのタイトルを取得する機能
を更にコンピュータに実現させるためのプログラム。
【発明の詳細な説明】
【技術分野】
【０００１】
本発明は、例えばインターネットを介してポータルサイトにアクセスしてきた携帯端末に情報を提供する情報提供方法、この情報提供方法にしたがってポータルサイトを動作させるポータルサイトシステム、及びプログラムに関する。
【背景技術】
【０００２】
紙媒体による従来からの新聞紙面による記事情報の提供と、携帯電話やパーソナルコンピュータ等によるインターネットを介した電子媒体による記事情報の提供とは、現在、それぞれ相互に独立したサービスとして存在している。
【０００３】
紙媒体による従来からの印刷物は、紙面全体を一度に眺めることができ、どのような記事が掲載されているのか、その重要度はどの程度なのかをある程度瞬時に把握するのに適している。また、印刷されているので、何度も読み直すことができるという長所を有する。
【０００４】
また、電子媒体による記事情報は、紙を用いないので、ペーパレス化を図ることができ、保存用のスペースを必要としない。また、リアルタイムによる情報伝達が可能となり、ネットに接続できる環境にあれば、場所や時間を選ばず、更には、必要な情報のみを見ることができるという長所を有する。
【非特許文献１】http://dir.yahoo.co.jp/Reference/Codes/Bar_Code/QR_Codes/
【非特許文献２】http://www.nttdocomo.co.jp/p_s/barcode/
【非特許文献３】http://www.qrcode.org/
【非特許文献４】http://www.au.kddi.com/ezfactory/tec/two_dimensions/
【非特許文献５】http://www.dp.j-phone.com/dp/tool_dl/qrcode/tool.php
【発明の開示】
【発明が解決しようとする課題】
【０００５】
しかしながら、紙媒体の印刷物による情報の提供では、以下のような短所がある。
【０００６】
すなわち、紙媒体による印刷物では、紙面ページ数の制約で、掲載出来なかった多くの関連情報があるものの、掲載されなかった情報については、利用者は、読みたいと思っても読むことはできない。
【０００７】
また、支社展開している新聞社によって発行される新聞については、各地域共通で作成される紙面の他に、地方版のように、その地域特有の記事が掲載されている紙面もある。地方版は、販売される地域によって決まっているので、利用者は、購入した地域以外の地方版を読みたいと思っても読むことはできない。
【０００８】
例えば、仙台で新聞を購入した場合、東北版という紙面が設けられていても、九州版という紙面は設けられておらず、利用者は、九州版の紙面を読みたいと思っても読むことはできない。
【０００９】
一方、電子媒体による情報の提供では、以下のような短所がある。
【００１０】
すなわち、電子媒体によって提供された情報は、各記事毎の相対的な重要度の把握が容易ではない。また、ディスプレイの大きさによって一度に表示される情報量が制限される。また、主要記事に関する記事については容易にアクセスがなされるようにインタフェースが設計されているが、一般的に煩雑な操作を伴うために、所望の記事にアクセスすることは必ずしも容易とはいえず、特に操作に不慣れな利用者にとっては、所望の記事にアクセスするまでに余分な手間と時間とを費やしてしまう恐れがある。
【００１１】
このように、紙媒体による情報の提供、電子媒体による情報の提供ともに一長一短がある。
【００１２】
本発明は、上述したような両者の短所を補うべくなされたものであり、紙媒体の印刷物に掲載された情報のみならず、掲載されなかった情報についてもその電子データをポータルサイト側に格納する一方、これら電子データが格納されたアクセス情報を記録したバーコードを印刷物に印刷し、利用者がこのバーコードを携帯端末を用いて読み取り、所定のアドレスへアクセスできるようにすることによって、紙媒体の印刷物に掲載された情報のみならず、掲載されなかった情報についても、利用者が携帯端末を用いて容易に取得できるようにした情報提供方法、ポータルサイトシステム、及びプログラムを提供することを目的とする。
【課題を解決するための手段】
【００１３】
上記の目的を達成するために、本発明では、以下のような手段を講じる。
【００１４】
すなわち、本発明は、印刷物に印刷された記事の近傍に印刷され、当該記事の関連情報にアクセスするためのアクセス情報が含まれたバーコードを読み取ったバーコード読取機能付きの携帯電話等の携帯端末に対して関連情報を提供する情報提供方法、ポータルサイトシステム、及びプログラムである。
【００１５】
バーコードに付与されるアクセス情報とは、ポータルサイトを特定するＵＲＬ情報に加えて関連情報の取得方法を特定するための情報で、具体的には、対象記事を特定する素材識別番号、対象記事の属する分野やテーマまたはそれをコード化した情報、関連情報としてデータベースをアクセスするための検索キーワードまたは相当の情報，関連情報が格納されているアクセス情報などである。
【００１６】
なお、ポータルサイトとは、総合的、あるいは何らかのジャンルにおいて、多種多様な情報を一つに束ねる役割を果たしており、ユーザがそこをインターネットへの入口として用いるＷｅｂサイトのことである。
【００１７】
以下、説明の都合上、関連情報を特定するための情報として素材識別番号を使用した場合について説明するが他の内容を選択しても同様の手段で実現できる。
【００１８】
すなわち、本発明では、印刷物に印刷された記事の近傍に、当該記事の関連情報にアクセスするためのアクセス情報を含むバーコードを印刷しておく。また、関連情報の電子データを、記憶装置内に、この電子データのタイトルとともに格納しておく。この関連情報は、印刷物には掲載されているもののみならず、掲載されていないものも含む。
【００１９】
そして、利用者がバーコード読取機能付きの携帯端末を用いてバーコードを読み取り、この読取情報をポータルサイトに送信すると、ポータルサイトが、この送信された読取情報を受信し、受信した読取情報に対応するアクセス情報に基づき、記憶装置に格納されている電子データのタイトルを取得する。更にポータルサイトが、取得したタイトルを携帯端末に送信し、携帯端末から一覧表示させ、一覧表示されたタイトルの中から何れかを選択するように利用者に対して要求する。この要求に対して利用者が選択を行い、携帯端末からポータルサイトに対して選択信号を送信と、ポータルサイトが、選択信号に対応する電子データを記憶装置から取得し、取得した電子データを携帯端末に送信し、携帯端末から表示させる。
【００２０】
なお、記憶装置に格納される各電子データについて、互いに関連のある電子データについてリンク情報を設定し、ポータルサイトが、取得したタイトルを携帯端末から一覧表示させる場合には、読取情報に対応するアクセス情報に基づき記憶装置に格納されている電子データのタイトルのみならず、リンク情報が設定された電子データのタイトルをも含めて一覧表示させるようにしても良い。
【００２１】
このようにすることによって、印刷物に掲載された記事のみならず、印刷物に掲載されなかった関連情報の内容を、利用者の要求に基づいて携帯端末から表示させることが可能となる。
【００２２】
更に、記憶装置内には、電子データに関連する画像データをそのタイトルと共に、関連する電子データに関連付けて格納し、ポータルサイトが、選択信号に対応する電子データに加えて、電子データに関連付けて格納された画像データを取得し、取得した電子データ及び画像データを携帯端末に送信し、携帯端末から表示させるようにしても良い。この画像データもまた、印刷物には掲載されているもののみならず、掲載されていないものも含む。
【００２３】
この画像データもまた、関連のある電子データとの間でリンク情報を設定し、ポータルサイトが、取得したタイトルを携帯端末から一覧表示させる場合には、読取情報に対応するアドレスに対応する記憶装置に格納されている電子データのタイトルのみならず、リンク情報が設定された画像データのタイトルをも含めて一覧表示させるようにしても良い。
【００２４】
このようにすることによって、印刷物に掲載された記事に関連する写真等の画像データについて、印刷物に掲載されたもののみならず、掲載されなかったものについても、利用者の要求に基づいて携帯端末から表示させることが可能となる。
【００２５】
更に、バーコードには、印刷物が配達された地域を識別する情報を更に含めるようにしても良い。この場合、ポータルサイトは、電子データまたは画像データを取得する時、電子データや画像データの属性情報として設定された地域識別情報が、読取情報に含まれる地域識別情報と一致しない場合にのみ、記憶装置に格納されている電子データまたは画像データのタイトルを取得する。
【００２６】
このようにすることによって、例えば、地域毎に異なる内容の記事以外に対して、上述したように、関連情報や画像データを、利用者の要求に基づいて携帯端末から表示させることが可能となる。
【００２７】
なお、本発明において、バーコードとしては、２次元バーコードが好適である。また、バーコード読取機能付きの携帯端末としては、カメラ付き携帯電話が好適である。カメラ付き携帯電話では、上記非特許文献１乃至５に示すように、カメラによって２次元バーコードを撮影し、２次元バーコードに記録されている情報を解読し、送信する機能が標準オプションとして備えられている。
【発明の効果】
【００２８】
本発明によれば、紙媒体の印刷物に掲載された情報のみならず、掲載されなかった情報についてもその電子データをポータルサイト側に格納する一方、これら電子データが格納されたアクセス情報を記録したバーコードを印刷物に印刷しておく。そして、利用者がこのバーコードを携帯端末を用いて読み取ることによって、所定のアドレスへアクセスすることができる。
【００２９】
以上により、紙媒体の印刷物に掲載された情報のみならず、掲載されなかった情報についても、利用者が携帯端末を用いて容易に取得することができる情報提供方法、ポータルサイトシステム、及びプログラムを実現することができる。
【発明を実施するための最良の形態】
【００３０】
以下に、本発明を実施するための最良の形態について図面を参照しながら説明する。
【００３１】
なお、以下に示す本発明の各実施の形態では、印刷物として新聞を例に説明するが、本発明における印刷物は新聞に限定されるものではなく、雑誌や、パンフレット、広告など、紙媒体の印刷物全般に適用可能なものである。
【００３２】
（第１の実施の形態）
図１は、本発明の第１の実施の形態に係るポータルサイトシステムを用いた情報提供方法の概略を示すための概念図である。
【００３３】
すなわち、本実施の形態に係る情報提供方法は、まず新聞社１０に設置された新聞制作システム２０による新聞紙面５０の制作時に、記事５１の近傍に、バーコード５２を印刷する。新聞紙面５０を制作する場合には、取材等によって記事や写真等といった膨大な素材が集められ、その中から、紙面の大きさや他のニュース等とのバランス配分により、最終的に掲載する素材が決定される。従ってポータルサイト用素材データベース３２には、最終的に紙面に掲載された素材データのみならず、未掲載の素材データもまた、電子データの形式で、そのデータタイトルとともに格納されている。以下、素材データの電子データのことを、単に素材データと称する。
【００３４】
バーコード５２には、ポータルサイトシステム４０及び、当該記事５１に関連する掲載済み又は未掲載の素材データが格納されたポータルサイト用素材データベース３２内のアクセス情報５３が含まれている。なお、バーコードとしては、一次元バーコードも適用可能であるが、情報量の豊富さから二次元バーコードが好適である。
【００３５】
利用者５４が、当該記事５１に関連する未掲載の素材データを閲覧したい場合には、バーコード読取機能付の携帯端末５５を用いて、当該記事５１の近傍に印刷されているバーコード５２を読み取り、携帯端末５５のネットワーク接続サービスを提供するプロバイダ等の中間サーバ６２を介し、読取情報に従ってポータルサイトシステム４０にアクセスする。前述したように、バーコード５２には、ポータルサイトシステム４０及び、当該記事５１に関連する素材データが格納されたポータルサイト用素材データベース３２内のアクセス情報５３が含まれており、読取情報には例えば、  
http://www.xxx.co.jp/index/id/k230034のように、ポータルサイトシステム４０のＵＲＬ（www.xxx.co.jp）、及びポータルサイト用素材データベース３２から関連情報の取得方法を特定するための情報（この例では当該記事５１の素材識別番号）(index/id/k230034)が含まれている。バーコード読取機能付の携帯端末５５は、バーコード５２を読み取ることにより、アクセス先のアドレスを認識できるので、この認識したアドレスにしたがってポータルサイトシステム４０にアクセスする。
【００３６】
なお、バーコード読取機能付の携帯端末５５としては、カメラ付き携帯電話が好適である。カメラ付き携帯電話では、上記非特許文献１乃至５に示すように、カメラによって２次元バーコードを撮影し、２次元バーコードに記録されている情報を解読し、送信する機能が標準オプションとして備えられている。
【００３７】
ポータルサイトシステム４０は、このようにして携帯端末５５から読取情報が送信されることによってアクセスされると、読取情報に含まれる関連情報の取得方法を特定するための情報に基づき所定の取得方法によって、ポータルサイト用素材データベース３２内に格納されている素材データのタイトルを取得する。
【００３８】
そして、ポータルサイトシステム４０は、取得したタイトルを送信元の携帯端末５５に送信する。携帯端末５５は、これに従って、送信されたタイトルを、表示画面５７から一覧表示６０する。
【００３９】
これに対して、利用者５４は、一覧表示６０されたタイトルの中から、どのタイトルの記事あるいは画像を表示させたいのかを選択し、例えば、キーボード５８から、該当する番号を押すことによって、選択入力を行い、選択信号をポータルサイトシステム４０に送信する。
【００４０】
ポータルサイトシステム４０は、この選択信号を受信し、選択信号に対応する素材データを、ハードディスク等のハードウェアから構成されたポータルサイト用素材データベース３２から取得する。そして、取得した素材データを携帯端末５５に送信する。
【００４１】
携帯端末５５は、この素材データを受信し、表示画面５７から表示させる。これによって利用者５４は、関連する記事や画像６１を見ることができる。
【００４２】
図２は、新聞制作システム２０の詳細な構成例を示す機能ブロック図である。
【００４３】
図２に示す新聞制作システム２０は、素材受信装置２１と、記者端末２２と、素材管理サーバ２３と、素材データ記憶装置２４と、素材編集端末２５と、組版編集サーバ２６と、紙面データ記憶装置２７と、組版端末２８と、出力サーバ２９と、プリンタ／プロッタ３０とを備えている。
【００４４】
素材受信装置２１は、図示しない通信回線を経由して通信社や友好社などから送信される素材データを受信し、一旦蓄積する。その後、この素材データを、記者端末２２からの指示、又は予め指定された条件に基づく自動処理などにより、素材管理サーバ２３に送信する。
【００４５】
記者端末２２は、記者が素材データの入力および校正を行うための端末であり、記者によって素材データが入力されると、入力された素材データは、素材管理サーバ２３に出力される。
【００４６】
素材編集端末２５は、素材データの編集を行うための端末であり、図示しないキーボード、マウス、スキャナ、入力端子等の入力デバイス、ディスプレイ等の表示デバイス、及びプリンタ等の出力デバイスを備えている。このような素材編集端末２５は、記者が取材に携帯したり、編集者が事務所で作業する場合に使用され、素材管理サーバ２３と接続している。素材データの編集を行う場合には、素材データ記憶装置２４に蓄積されている素材データを、素材管理サーバ２３を介して取得する。そして、取得した素材データに対して、オペレータが前記入力デバイスを操作することによって編集し、編集後の素材データを素材管理サーバ２３に送る。
【００４７】
素材管理サーバ２３では、このように素材受信装置２１や記者端末２２から送られた素材データを、素材データ記憶装置２４に書き込み、記憶させる。また、素材編集端末２５から素材データの取得要求を受けると、要求された素材データを素材データ記憶装置２４から取得して、素材編集端末２５に送る。そして、素材編集端末２５によって編集された素材データが素材編集端末２５から送られると、この編集後の素材データを素材データ記憶装置２４に書き込むことによって、素材データ記憶装置２４に記憶されている素材データの内容を更新する。さらに、素材管理サーバ２３は、素材編集端末２５から、素材データを組版編集サーバ２６に送るよう要求があった場合には、要求された素材データを素材データ記憶装置２４から取得し、組版編集サーバ２６に送る。
【００４８】
素材データ記憶装置２４は、素材管理サーバ２３から送られた素材データを記憶するためのハードディスク等のハードウェアによって構成される記憶媒体である。この素材データ記憶装置２４は、階層構造をなす複数のフォルダを設けており、各素材データは、その内容に応じて、これらフォルダの何れかに分類されて管理され、記憶されるようにしている。
【００４９】
組版端末２８は、オペレータが、素材を紙面上に配置することによってレイアウト編集を行うための操作入力を行う。また、バーコードの５２の配置もまた、組版端末２８が行う。
【００５０】
組版編集サーバ２６は、組版端末２８から出力された操作情報に基づいて、紙面データの編集作業を行う。そして、このように組版編集サーバ２６で編集作業がなされた紙面データは、紙面データ記憶装置２７に格納される。また、一旦格納された紙面データが再び組版編集サーバ２６へと読み出され、再び編集作業が行われた後に紙面データ記憶装置２７に格納されることも可能である。
【００５１】
また、組版編集サーバ２６は、素材管理サーバ２３を介して、素材データ記憶装置２４から素材データを取得し、取得した素材データにタイトルやキーワードなどの付加情報を付与した後に、ポータルサイトシステム４０を介して、ポータルサイト用素材データベース３２に送り、ここに記憶させる。
【００５２】
図３は、ポータルサイト用素材データベース３２に記憶された素材データのデータ構成例を示すデータテーブル３４である。また、図４は、ポータルサイト用素材データベース３２に記憶された素材データを示すデータテーブル３６である。図３に示すように、データテーブル３４には、素材データ毎に素材識別番号３４ＩＤ、見出し３４ＴＬ、素材種別３４ＳＢ、校閲日時３４ＰＲ、紙面掲載日付３４ＫＳ、掲載された面・版名３４ＭＨ、素材の書誌情報３４ＳＪ、キーワード登録件数３４ＥＫ、キーワード３４ＫＷ１，３４ＫＷ２，３４ＫＷ３，・・・３４ＫＷｎからなるレコードが積まれている。また、図４に示すように、データテーブル３６には、各素材データの実体ファイルが、データテーブル３４に積まれたレコード順に積まれている。
【００５３】
紙面データ記憶装置２７は、組版編集サーバ２６から送られた紙面データを記憶するためのハードディスク等のハードウェアによって構成される記憶媒体である。
【００５４】
出力サーバ２９は、組版端末２８からの大刷／版下出力指示に従って、組版編集サーバ２６で生成された素材の配置情報をドットデータなどに展開し、プリンタ／プロッタ３０から大刷や版下として出力させる。
【００５５】
図５は、携帯端末５５、中間サーバ６２、及びポータルサイトシステム４０の構成例を示す機能ブロック図である。
【００５６】
例えば、バーコード読取機能付き携帯端末５５は、バーコード５２を読み取るためのカメラ５６を備えたカメラ付携帯電話が好適である。このような携帯端末５５は、ディスプレイである表示画面５７と、入力用のキーボード５８と、ポータルサイトシステム４０と携帯端末５５とのデータの送受信を行うポータルサイトアクセス制御部５９とを備えている。ポータルサイトアクセス制御部５９は、カメラ５６が読み取ったバーコード５２の読取情報から、ポータルサイトシステム４０のアドレスを認識し、携帯端末５５を、このポータルサイトシステム４０にアクセスさせたり、ポータルサイトシステム４０から送られた情報を表示画面５７から表示させたり、キーボード５８からの入力信号を、ポータルサイトシステム４０に送信する。
【００５７】
ポータルサイトシステム４０は、関連記事閲覧部４２と、関連記事一覧全体リストテーブル４４とを備えている。関連記事閲覧部４２は、新聞制作システム２０の組版編集サーバ２６から出力された素材データを受け取った後に、ポータルサイト用素材データベース３２に書き込む。また、携帯端末５５からの要求に対して、ポータルサイト用素材データベース３２から、この要求に応じた素材データのタイトルを取得して関連記事一覧全体リストテーブル４４を作成する。そして、作成した関連記事一覧全体リストテーブル４４から、要求元の携帯端末５５が一度に表示可能な量のタイトル毎に携帯端末５５に返信する。また、携帯端末５５からの選択信号に対して、ポータルサイト用素材データベース３２から、この選択信号に応じた素材データを取得して携帯端末５５に返信する。
【００５８】
このような構成をなすポータルサイトシステム４０は、Ｗｅｂサーバ、アプリケーションサーバ、データベース等の機能で構成されうるが、本発明の実現方法としては物理的な実装方法には依存しない。
【００５９】
また、ポータルサイトシステム４０と携帯端末５５とは、携帯電話網又はインターネット網により接続される。また、ポータルサイトシステム４０と携帯端末５５との間にはファイアウォールなどの各種セキュリティ機構を適宜設けてよいが、ここでは、これら各種セキュリティ機能の記載は省略している。
【００６０】
各サーバ２３，２６，２９、及びポータルサイトシステム４０は、図示しないプログラム記憶領域を備えており、ここに記憶されたプログラムを読み出し、このプログラムにしたがって動作する。なお、このプログラムは、このように自己に記憶される場合に限定されるものではなく、インターネット等の通信ネットワークを介してダウンロードされるようにしてもよい。
【００６１】
ここでプログラム記憶領域としては、磁気ディスク、フロッピー（登録商標）ディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００６２】
また、プログラム記憶領域からインストールされたプログラムの指示に基づき各サーバ２３，２６，２９、及びポータルサイトシステム４０で稼働しているＯＳ（オペレーティングシステム）や、素材データ記憶装置２４、紙面データ記憶装置２７、及びポータルサイト用素材データベース３２のデータベースを管理するためのソフトウェア、ネットワークソフト等のＭＷ（ミドルウェア）等が本発明の実施の形態を実現するための各処理の一部を実行してもよい。
【００６３】
さらに、プログラム記憶領域は、コンピュータである各サーバ２３，２６，２９、及びポータルサイトシステム４０の一部であっても独立した媒体であっても良く、更にはＬＡＮやインターネット等により伝送されたプログラムをダウンロードして記憶又は一時記憶した記憶媒体であっても良い。
【００６４】
また、この記憶媒体は１つに限らず、複数の媒体から本発明の実施の形態における処理が実行される場合もここでいう記憶媒体に含まれ、媒体構成は何れの構成であってもよい。
【００６５】
なお、ここでいうコンピュータは、記憶媒体に記憶されたプログラムに基づき、同実施の形態における各処理を実行するものであって、パソコン等の１つからなる装置、複数の装置がネットワーク接続されたシステム等の何れの構成であってもよい。また、このコンピュータとは、パソコンに限らず、情報処理機器に含まれる演算処理装置、マイコン等も含み、プログラムによって本発明の機能を実現することが可能な機器、装置を総称している。
【００６６】
次に、以上のように構成した本実施の形態に係るポータルサイトシステム４０の動作について説明する。
【００６７】
まず、図６のフローチャートを用いて、利用者５４が携帯端末５５を用いてバーコード５２を読み取り、携帯端末５５の表示画面５７から、関連する素材データの一覧を表示させるまでの動作について説明する。
【００６８】
すなわち、利用者５４が新聞紙面５０の記事５１を閲覧し、この記事５１に関連する記事や画像を見たいと思った場合には、利用者５４は、この記事５１の近傍に印刷されたバーコード５２を、例えばカメラ付の携帯電話のようなバーコード読取機能付の携帯端末５５を用いて読み取る（Ｓ１）。
【００６９】
すると、この読取情報に基づいて、ポータルサイトアクセス制御部５９によって、ポータルサイトシステム４０に対して関連記事の一覧要求を開始するためのインタフェースデータ７２が作成される（Ｓ２）。
【００７０】
図７は、このようなインタフェースデータ７２の構成例を示すデータ構成図であり、コマンド名７２ＲＣＭと、ポータルサイトＵＲＬ情報７２ＲＵＲと、処理モード７２ＲＲＱと、対象素材の素材識別番号７２ＲＫＲと、関連記事一覧リストの１回分の送信件数７２ＲＳＫと、端末識別番号７２ＲＴＩとからなる。コマンド名７２ＲＣＭは、この場合「処理開始要求」である。また、ポータルサイトＵＲＬ情報７２ＲＵＲと、処理モード７２ＲＲＱと、対象素材の素材識別番号７２ＲＫＲとは、バーコード５２の中に含まれている情報であるので、読取情報から作成される。また、関連記事一覧リストの１回分の送信件数７２ＲＳＫと、端末識別番号７２ＲＴＩとは、携帯端末５５固有の性能に依存するものであり、ポータルサイトアクセス制御部５９が、携帯端末５５の性能に基づいて作成する。
【００７１】
そして、このようなインタフェースデータ７２が、ポータルサイトアクセス制御部５９によってポータルサイトシステム４０へ送信される（Ｓ３）。
【００７２】
このインタフェースデータ７２に基づいて、ポータルサイトシステム４０では、図８に示すような関連記事一覧リスト応答データ７３の生成処理がなされる。この処理内容については後述する。そして、この処理が終了すると、ポータルサイトシステム４０からポータルサイトアクセス制御部５９へと関連記事一覧リスト応答データ７３が応答され（Ｓ４、Ｓ５：Ｙｅｓ）、携帯端末５５の表示画面５７から関連記事一覧リストが表示される（Ｓ６）。
【００７３】
次に、ポータルサイトシステム４０でなされる関連記事一覧リスト応答データ７３の生成処理について、図９のフローチャートを用いて説明する。
【００７４】
すなわち、携帯端末５５からポータルサイトシステム４０へ送信されたインタフェースデータ７２が、関連記事閲覧部４２によって受信される（Ｓ１１）と、関連記事閲覧部４２によって、処理モード７２ＲＲＱが、「通常関連記事検索指定」であるか否かが判定される（Ｓ１２）。そして、処理モード７２ＲＲＱが、「通常関連記事検索指定」である場合（Ｓ１２：Ｙｅｓ）には、関連記事閲覧部４２によって、ポータルサイト用素材データベース３２から、インタフェースデータ７２の対象記事の素材識別番号７２ＲＫＲに対応する素材識別番号３４ＩＤを持つ素材データからキーワード３４ＫＷ１，３４ＫＷ２，３４ＫＷ３，・・・３４ＫＷｎ群が取得される（Ｓ１３）。
【００７５】
次に、関連記事閲覧部４２によって、現在の日時から、最新紙面掲載日付が求められる。つまり、現在の日時に基づいて、紙面掲載日付３４ＫＳから、最も最近に掲載された日付が求められる（Ｓ１４）。
【００７６】
更に、関連記事閲覧部４２によってポータルサイト用素材データベース３２が検索され、紙面掲載日付３４ＫＳが、ステップＳ１４で求められた最新紙面掲載日付と等しく、かつ、キーワード３４ＫＷ１，３４ＫＷ２，３４ＫＷ３，・・・３４ＫＷｎ群と一致するキーワードを持つ素材データのレコードが抽出され、図１０に示すような関連記事一覧全体リスト３８における該当端末識別番号３８ＴＩに属するレコードとして積まれてゆく（Ｓ１５）。
【００７７】
関連記事一覧全体リスト３８は、携帯端末５５毎に積まれたレコードからなっており、各レコードｎは、端末識別番号３８ＴＩと、素材データの登録件数３８ＣＴと、各素材ｎ毎に設けられた見出し３８Ｍｎ、種別３８Ｓｎ、及び素材識別番号３８Ｄｎからなる。
【００７８】
当該携帯端末５５について、ステップＳ１５において、関連記事一覧全体リスト３８にレコードが積まれ終わると、関連記事閲覧部４２によって、当該携帯端末５５に対して積まれたレコードの数がカウントされ、登録件数３８ＣＴにそのカウント値が書き込まれ（Ｓ１６）、一時保存される（Ｓ１７）。
【００７９】
そして、ステップＳ１７で保存された関連記事一覧全体リスト３８を用いて、関連記事閲覧部４２によって、コマンド名７３ＵＣＭとして「関連記事一覧リスト応答」と書き込まれ、全記事件数７３ＵＣＴとして登録件数３８ＣＴの値が書き込まれ、表示先頭位置７３ＵＴＰとして「１」が書き込まれ、送信件数７３ＵＳＫとして、インタフェースデータ７２の送信件数７２ＲＳＫが書き込まれ、見出し７３ＵＤＴ（＃ｎ）Ｍとして見出し３８Ｍ１（＃ｎ）が、種別７３ＵＤＴ（＃ｎ）Ｓとして種別３８Ｓ１（＃ｎ）が、素材識別番号７３ＵＤＴ（＃ｎ）Ｄとして素材識別番号３８Ｄ１（＃ｎ）がそれぞれ書き込まれることによって、関連記事一覧リスト応答データ７３が作成される（Ｓ１８）。
【００８０】
そして、この作成された関連記事一覧リスト応答データ７３が、インタフェースデータ７２の端末識別番号７２ＲＴＩに基づいて、要求元の携帯端末５５に、返信される（Ｓ１９）。
【００８１】
一方、ステップＳ１２において、処理モード７２ＲＲＱが、「通常関連記事検索指定」ではない場合（Ｓ１２：Ｎｏ）には、他の処理モードの処理が行われる（Ｓ２０）。
【００８２】
携帯端末５５は、表示画面５７のサイズによって、一度に表示される見出し７３ＵＤＴ（＃ｎ）Ｍの数に制限がある。したがって、ポータルサイトシステム４０で検索された見出し７３ＵＤＴ（＃ｎ）Ｍの数が、表示画面５７から一度に表示される数を超える場合には、利用者５４は、携帯端末５５を操作することによって、未表示の見出しを送り出し表示させる。この送り出し操作時の動作を図１１に示すフローチャートを用いて説明する。
【００８３】
すなわち、利用者５４が、携帯端末５５に、「関連記事一覧リスト送り要求」コマンドを要求するための入力操作を行うと（Ｓ２１）、ポータルサイトシステム４０に対する「関連記事一覧リスト送り要求」コマンドのための図１２にその構成例を示すようなインタフェースデータ７４が作成される（Ｓ２２）。
【００８４】
図１２に示すように、インタフェースデータ７４は、コマンド名７４ＲＣＭと、ポータルサイトＵＲＬ情報７４ＲＵＲと、処理モード７４ＲＲＱと、対象素材の素材識別番号７４ＲＫＲと、関連記事一覧リストの表示先頭位置７４ＲＴＰと、関連記事一覧リストの１回分の送信件数７４ＲＳＫと、端末識別番号７４ＲＴＩとからなる。コマンド名７４ＲＣＭは、この場合「関連記事一覧リスト送り要求」となる。また、ポータルサイトＵＲＬ情報７４ＲＵＲと、処理モード７４ＲＲＱと、対象素材の素材識別番号７４ＲＫＲと、関連記事一覧リストの１回分の送信件数７４ＲＳＫと、端末識別番号７４ＲＴＩとは、それぞれインタフェースデータ７２から引き継がれる。関連記事一覧リストの表示先頭位置７４ＲＴＰは、関連記事一覧リスト応答データ７３の関連記事一覧リストの表示先頭位置７３ＵＴＰから引き継がれる。
【００８５】
このインタフェースデータ７４の作成が完了すると、利用者５４が携帯端末５５を操作することにより、インタフェースデータ７４がポータルサイトシステム４０に送信される（Ｓ２３）。
【００８６】
このインタフェースデータ７４に基づいて、ポータルサイトシステム４０では、図１３に示すような関連記事一覧リスト応答データ７５の生成処理がなされる。この処理内容については後述する。そして、この処理が終了すると、ポータルサイトシステム４０からポータルサイトアクセス制御部５９へと新たな関連記事一覧リスト応答データ７５が応答され（Ｓ２４、Ｓ２５：Ｙｅｓ）、携帯端末５５の表示画面５７から次の関連記事一覧リストが表示される（Ｓ２６）。
【００８７】
次に、インタフェースデータ７４に基づいて、ポータルサイトシステム４０でなされる、関連記事一覧リスト応答データ７５の生成処理について図１４のフローチャートを用いて説明する。
【００８８】
すなわち、携帯端末５５からポータルサイトシステム４０へ送信されたインタフェースデータ７４が、関連記事閲覧部４２によって受信される（Ｓ３１）と、関連記事閲覧部４２によって、インタフェースデータ７４の携帯識別番号７４ＲＴＩに対応した関連記事一覧全体リストテーブル４４が探索される（Ｓ３２）。
【００８９】
そして、関連記事閲覧部４２によって、コマンド名７５ＵＣＭとして「関連記事一覧リスト応答」と書き込まれ、全記事件数７５ＵＣＴとして、ステップＳ３２で探索されたた関連記事一覧全体リストテーブル４４の登録件数３８ＣＴの値が書き込まれ、表示先頭位置７５ＵＴＰとして、インタフェースデータ７４の表示先頭位置７４ＲＴＰの値が書き込まれ、送信件数７５ＵＳＫとして、インタフェースデータ７４の送信件数７４ＲＳＫが書き込まれる（Ｓ３３）。
【００９０】
更に、インタフェースデータ７４の関連記事一覧リストの表示先頭位置７４ＲＴＰから、関連記事一覧リストの１回分の送信件数分７４ＲＳＫのレコードが、関連記事一覧リスト応答データ７５の関連記事７５ＵＤＴに書き込まれる（Ｓ３４）。
【００９１】
そして、このように作成された関連記事一覧リスト応答データ７５が、インタフェースデータ７４の端末識別番号７４ＲＴＩに基づいて、要求元の携帯端末５５に返信される（Ｓ３５）。
【００９２】
次に、携帯端末５５の表示画面５７から表示された見出し７３ＵＤＴ（＃ｎ）Ｍのリストに基づいて、利用者が、閲覧したいテキストを選択し、これに対してポータルサイトシステム４０側から、そのテキストが携帯端末５５に返信されるまでの処理の動作を図１５に示すフローチャートを用いて説明する。
【００９３】
すなわち、利用者５４が、携帯端末５５に、「関連記事テキスト要求」コマンドを要求するための入力操作を行うと、ポータルサイトシステム４０に対して図１６にその構成例を示すようなインタフェースデータ７６が作成される（Ｓ４１）。
【００９４】
図１６に示すように、インタフェースデータ７６は、コマンド名７６ＲＣＭと、ポータルサイトＵＲＬ情報７６ＲＵＲと、端末識別番号７６ＲＴＩと、要求するテキストの素材識別番号７６ＲＳＩとからなる。コマンド名７４ＲＣＭは、この場合「関連記事テキスト要求」となる。また、ポータルサイトＵＲＬ情報７６ＲＵＲと、端末識別番号７６ＲＴＩとは、それぞれインタフェースデータ７２から引き継がれる。要求するテキストの素材識別番号７６ＲＳＩは、表示画面５７から表示された見出し７３ＵＤＴ（＃ｎ）Ｍのリストの中から利用者５４が選択した素材識別番号（７３ＵＤＴ又は７５ＵＤＴ）が引き継がれる。
【００９５】
このインタフェースデータ７６の作成が完了すると、利用者５４が携帯端末５５を操作することにより、インタフェースデータ７６がポータルサイトシステム４０に送信される（Ｓ４２）。
【００９６】
このインタフェースデータ７６に基づいて、ポータルサイトシステム４０では、図１７に示すような関連記事テキスト応答データ７７の生成処理がなされる。この処理内容については後述する。そして、この処理が終了すると、ポータルサイトシステム４０からポータルサイトアクセス制御部５９へと関連記事テキスト応答データ７７が応答され（Ｓ４３、Ｓ４４：Ｙｅｓ）、携帯端末５５の表示画面５７から、要求された見出しに対応する記事内容であるテキストが表示される（Ｓ４５）。
【００９７】
次に、インタフェースデータ７６に基づいて、ポータルサイトシステム４０でなされる、関連記事テキスト応答データ７７の生成処理について図１８のフローチャートを用いて説明する。
【００９８】
すなわち、携帯端末５５からポータルサイトシステム４０へ送信されたインタフェースデータ７６が、関連記事閲覧部４２によって受信される（Ｓ５１）と、関連記事閲覧部４２によって、インタフェースデータ７６の要求するテキストの素材識別番号７６ＲＳＩに対応した実体ファイル３６ＪＴが、ポータルサイト用素材データベース３２に格納されたデータテーブル３６から検索される（Ｓ５２）。
【００９９】
そして、検索された実体ファイル３６ＪＴから、関連記事閲覧部４２によって文字数がカウントされ（Ｓ５３）、更に、関連記事閲覧部４２によって、コマンド名７７ＵＣＭとして「関連記事テキスト応答」と書き込まれ、素材識別番号７７ＵＳＩがインタフェースデータ７６の素材識別番号７６ＲＳＩから引き継がれる。更に、関連記事閲覧部４２によって、ステップＳ５３でカウントされた文字数がテキスト文字数７７ＵＴＣに書き込まれ、記事のテキストである実体ファイル３６ＪＴがテキスト文字列７７ＵＴＸに書き込まれることによって、関連記事テキスト応答データ７７が作成される（Ｓ５４）。
【０１００】
そして、このように作成された関連記事テキスト応答データ７７が、インタフェースデータ７６の端末識別番号７６ＲＴＩに基づいて、要求元の携帯端末５５に返信される（Ｓ５５）。
【０１０１】
次に、携帯端末５５の表示画面５７から表示された見出し７３ＵＤＴ（＃ｎ）Ｍのリストに基づいて、利用者が、閲覧したい簡易画像を選択し、これに対してポータルサイトシステム４０側から、その簡易画像が携帯端末５５に返信されるまでの処理の動作を図１９に示すフローチャートを用いて説明する。
【０１０２】
すなわち、利用者５４が、携帯端末５５に、「関連記事簡易画像要求」コマンドを要求するための入力操作を行うと、ポータルサイトシステム４０に対して関連記事簡易画像を要求するための図２０に示すようなインタフェースデータ７８が作成される（Ｓ６１）。
【０１０３】
図２０に示すように、インタフェースデータ７８は、コマンド名７８ＲＣＭと、ポータルサイトＵＲＬ情報７８ＲＵＲと、端末識別番号７８ＲＴＩと、要求する画像の素材識別番号７８ＲＳＩとからなる。コマンド名７８ＲＣＭは、この場合「関連記事簡易画像要求」となる。また、ポータルサイトＵＲＬ情報７８ＲＵＲと、端末識別番号７８ＲＴＩとは、それぞれインタフェースデータ７２から引き継がれる。要求する画像の素材識別番号７８ＲＳＩは、表示画面５７から表示された見出し７３ＵＤＴ（＃ｎ）Ｍのリストの中から利用者５４が選択した素材識別番号（７３ＵＤＴ又は７５ＵＤＴ）が引き継がれる。
【０１０４】
このインタフェースデータ７８の作成が完了すると、利用者５４が携帯端末５５を操作することにより、インタフェースデータ７８がポータルサイトシステム４０に送信される（Ｓ６２）。
【０１０５】
このインタフェースデータ７８に基づいて、ポータルサイトシステム４０では、図２１に示すような関連記事簡易画像応答データ７９の生成処理がなされる。この処理内容については後述する。そして、この処理が終了すると、ポータルサイトシステム４０からポータルサイトアクセス制御部５９へと関連記事簡易画像応答データ７９が応答され（Ｓ６３、Ｓ６４：Ｙｅｓ）、携帯端末５５の表示画面５７から、要求された簡易画像が表示される（Ｓ６５）。
【０１０６】
次に、インタフェースデータ７８に基づいて、ポータルサイトシステム４０でなされる、関連記事簡易画像応答データ７９の生成処理について図２２のフローチャートを用いて説明する。
【０１０７】
すなわち、携帯端末５５からポータルサイトシステム４０へ送信されたインタフェースデータ７８が、関連記事閲覧部４２によって受信される（Ｓ７１）と、関連記事閲覧部４２によって、インタフェースデータ７８の要求する画像の素材識別番号７８ＲＳＩに対応した実体ファイル３６ＪＴが、ポータルサイト用素材データベース３２に格納されたデータテーブル３６から検索される（Ｓ７２）。
【０１０８】
そして、検索された実体ファイル３６ＪＴから、関連記事閲覧部４２によって画像ファイル形式が得られ（Ｓ７３）、更に、関連記事閲覧部４２によって、コマンド名７９ＵＣＭとして「関連記事簡易画像応答」と書き込まれ、素材識別番号７９ＵＳＩがインタフェースデータ７８の素材識別番号７８ＲＳＩから引き継がれる。更に、関連記事閲覧部４２によって、ステップＳ７３で得られた画像ファイル形式が画像ファイル形式７９ＵＦＴに書き込まれ、要求する画像の素材識別番号７８ＲＳＩが、要求された簡易画像７９ＵＫＧに書き込まれることによって、関連記事簡易画像応答データ７９が作成される（Ｓ７４）。
【０１０９】
そして、このように作成された関連記事簡易画像応答データ７９が、インタフェースデータ７８の端末識別番号７８ＲＴＩに基づいて、要求元の携帯端末５５に返信される（Ｓ７５）。
【０１１０】
次に、携帯端末５５の表示画面５７から表示された見出し７３ＵＤＴ（＃ｎ）Ｍのリストに基づいて、利用者が、閲覧したい精細画像を選択し、これに対してポータルサイトシステム４０側から、その精細画像が携帯端末５５に返信されるまでの処理の動作を図２３に示すフローチャートを用いて説明する。
【０１１１】
すなわち、利用者５４が、携帯端末５５に、「関連記事精細画像要求」コマンドを要求するための入力操作を行うと、ポータルサイトシステム４０に対して関連記事精細画像を要求する図２４に示すようなインタフェースデータ８０が作成される（Ｓ８１）。
【０１１２】
図２４に示すように、インタフェースデータ８０は、コマンド名８０ＲＣＭと、ポータルサイトＵＲＬ情報８０ＲＵＲと、端末識別番号８０ＲＴＩと、要求する画像の素材識別番号８０ＲＳＩとからなる。コマンド名８０ＲＣＭは、この場合「関連記事精細画像要求」となる。また、ポータルサイトＵＲＬ情報８０ＲＵＲと、端末識別番号８０ＲＴＩとは、それぞれインタフェースデータ７２から引き継がれる。要求する画像の素材識別番号８０ＲＳＩは、表示画面５７から表示された見出し７３ＵＤＴ（＃ｎ）Ｍのリストの中から利用者５４が選択した素材識別番号（７３ＵＤＴ又は７５ＵＤＴ）が引き継がれる。
【０１１３】
このインタフェースデータ８０の作成が完了すると、利用者５４が携帯端末５５を操作することにより、インタフェースデータ８０がポータルサイトシステム４０に送信される（Ｓ８２）。
【０１１４】
このインタフェースデータ８０に基づいて、ポータルサイトシステム４０では、図２５に示すような関連記事精細画像応答データ８１の生成処理がなされる。この処理内容については後述する。そして、この処理が終了すると、ポータルサイトシステム４０からポータルサイトアクセス制御部５９へと関連記事精細画像応答データ８１が応答され（Ｓ８３、Ｓ８４：Ｙｅｓ）、携帯端末５５の表示画面５７から、要求された精細画像が表示される（Ｓ８５）。
【０１１５】
次に、インタフェースデータ８０に基づいて、ポータルサイトシステム４０でなされる、関連記事精細画像応答データ８１の生成処理について図２６のフローチャートを用いて説明する。
【０１１６】
すなわち、携帯端末５５からポータルサイトシステム４０へ送信されたインタフェースデータ８０が、関連記事閲覧部４２によって受信される（Ｓ９１）と、関連記事閲覧部４２によって、インタフェースデータ８０の要求する画像の素材識別番号８０ＲＳＩに対応した精細画像の実体ファイル３６ＪＴが、ポータルサイト用素材データベース３２に格納されたデータテーブル３６から検索される（Ｓ９２）。
【０１１７】
そして、検索された精細画像から、関連記事閲覧部４２によって画像ファイル形式が得られ（Ｓ９３）、更に、関連記事閲覧部４２によって、コマンド名８１ＵＣＭとして「関連記事精細画像応答」と書き込まれ、素材識別番号８１ＵＳＩがインタフェースデータ８０の素材識別番号８０ＲＳＩから引き継がれる。更に、関連記事閲覧部４２によって、ステップＳ９３で得られた画像ファイル形式が画像ファイル形式８１ＵＦＴに書き込まれ、要求する画像の素材識別番号８０ＲＳＩが、要求された精細画像８１ＵＳＧに書き込まれることによって、関連記事精細画像応答データ８１が作成される（Ｓ９４）。
【０１１８】
そして、このように作成された関連記事精細画像応答データ８１が、インタフェースデータ８０の端末識別番号８０ＲＴＩに基づいて、要求元の携帯端末５５に返信される（Ｓ９５）。
【０１１９】
上述したように、本実施の形態に係るポータルサイトシステム４０を用いた情報提供方法においては、上記のような作用により、紙媒体の印刷物に掲載された情報のみならず、掲載されなかった情報を電子データとしてポータルサイト用素材データベース３２に格納する一方、これら電子データのアクセス情報を記録したバーコードを印刷物に印刷しておく。そして、利用者５４がこのバーコードを携帯端末５５を用いて読み取ることによって、所定のポータルサイトへアクセスし、そこから、格納された関連記事や画像を見ることができるので、紙面という物理的な情報量を超えた大量でかつ多様な情報を利用者に提供することが可能となる。
【０１２０】
（第２の実施の形態）
本発明の第２の実施の形態について説明する。
【０１２１】
第１の実施の形態では、印刷物に掲載された素材データのみならず、掲載されなかった素材データについても利用者５４の携帯端末５５から表示させる例について説明したが、本実施の形態のように、第１の実施の形態を以下のように一部変更することによって、掲載されなかった素材データのみを利用者５４の携帯端末５５から表示させることも可能である。このように、本実施の形態は、第１の実施の形態の変形例であるので、第１の実施の形態と異なる点について説明し、重複説明を避ける。
【０１２２】
すなわち、本実施の形態に係るポータルサイトシステムを用いた情報提供方法では、ポータルサイト用素材データベース３２に格納されるデータテーブルとして、図２７に示すようなデータ構成例のデータテーブル３５を用いる。このデータテーブル３５は、第１の実施の形態で用いたデータテーブル３４に、紙面掲載の有無３５ＦＬを、新たなデータ構成として加えた構成としている。なお、各素材データの実体ファイルを格納するデータテーブル３６は、第１の実施の形態のものと同一である。
【０１２３】
このようなデータテーブル３５を用いた本実施の形態に係るポータルサイトシステム４０の動作について説明する。
【０１２４】
まず、図２８のフローチャートを用いて、利用者５４が携帯端末５５を用いてバーコード５２を読み取り、携帯端末５５の表示画面５７から、関連する未掲載の素材データの一覧が表示されるまでの動作について説明する。
【０１２５】
すなわち、利用者５４が新聞紙面５０の記事５１を閲覧し、この記事５１に関連する記事や画像であって、新聞紙面５０には掲載されなかったものを見たいと思った場合には、利用者５４は、この記事５１の近傍に印刷されたバーコード５２を、例えばカメラ付の携帯電話のようなバーコード読取機能付の携帯端末５５を用いて読み取る（Ｓ１０１）。
【０１２６】
すると、この読取情報に基づいて、ポータルサイトアクセス制御部５９によって、ポータルサイトシステム４０に対して関連記事の一覧要求を開始するためのインタフェースデータ８２が作成される（Ｓ１０２）。
【０１２７】
図２９は、このようなインタフェースデータ８２の構成例を示すデータ構成図であり、コマンド名８２ＲＣＭと、ポータルサイトＵＲＬ情報８２ＲＵＲと、処理モード８２ＲＲＱと、対象素材の素材識別番号８２ＲＫＲと、関連記事一覧リストの１回分の送信件数８２ＲＳＫと、端末識別番号８２ＲＴＩとからなる。コマンド名８２ＲＣＭは、この場合「処理開始要求」である。また、ポータルサイトＵＲＬ情報８２ＲＵＲと、処理モード８２ＲＲＱと、対象素材の素材識別番号８２ＲＫＲとは、バーコード５２の中に含まれている情報であるので、読取情報から作成される。また、関連記事一覧リストの１回分の送信件数８２ＲＳＫと、端末識別番号８２ＲＴＩとは、携帯端末５５固有の性能に依存するものであり、ポータルサイトアクセス制御部５９が、携帯端末５５の性能に基づいて作成する。
【０１２８】
そして、このようなインタフェースデータ８２が、ポータルサイトアクセス制御部５９によってポータルサイトシステム４０へ送信される（Ｓ１０３）。
【０１２９】
このインタフェースデータ８２に基づいて、ポータルサイトシステム４０では、図３０に示すような関連記事一覧リスト応答データ８３の生成処理がなされる。この処理内容については後述する。そして、この処理が終了すると、ポータルサイトシステム４０からポータルサイトアクセス制御部５９へと関連記事一覧リスト応答データ８３が応答され（Ｓ１０４、Ｓ１０５：Ｙｅｓ）、携帯端末５５の表示画面５７から関連記事一覧リストが表示される（Ｓ１０６）。
【０１３０】
次に、ポータルサイトシステム４０でなされる関連記事一覧リスト応答データ８３の生成処理について、図３１のフローチャートを用いて説明する。
【０１３１】
すなわち、携帯端末５５からポータルサイトシステム４０へ送信されたインタフェースデータ８２が、関連記事閲覧部４２によって受信される（Ｓ１１１）と、関連記事閲覧部４２によって、処理モード８２ＲＲＱが、「紙面未掲載関連記事検索指定」であるか否かが判定される（Ｓ１１２）。そして、処理モード８２ＲＲＱが、「紙面未掲載関連記事検索指定」である場合（Ｓ１１２：Ｙｅｓ）には、関連記事閲覧部４２によって、ポータルサイト用素材データベース３２から、インタフェースデータ８２の対象記事の素材識別番号８２ＲＫＲに対応する素材識別番号３５ＩＤを持つ素材データからキーワード３５ＫＷ１，３４ＫＷ２，３５ＫＷ３，・・・３５ＫＷｎ群が取得される（Ｓ１１３）。
【０１３２】
次に、関連記事閲覧部４２によって、現在の日時から、最新紙面掲載日付が求められる。つまり、現在の日時に基づいて、紙面掲載日付３５ＫＳから、最も最近に掲載された日付が求められる（Ｓ１１４）。
【０１３３】
更に、関連記事閲覧部４２によってポータルサイト用素材データベース３２が検索され、紙面掲載日付３５ＫＳが、ステップＳ１１４で求められた最新紙面掲載日付と等しく、かつ、キーワード３５ＫＷ１，３５ＫＷ２，３５ＫＷ３，・・・３５ＫＷｎ群と一致するキーワードを持ち、かつ紙面掲載の有無３５ＦＬ＝「無」である素材データのレコードが抽出され、図１０に示すような関連記事一覧全体リスト３８における該当端末識別番号３８ＴＩに属するレコードとして積まれてゆく（Ｓ１１５）。
【０１３４】
当該携帯端末５５について、ステップＳ１１５において、関連記事一覧全体リスト３８にレコードが積まれ終わると、関連記事閲覧部４２によって、当該携帯端末５５に対して積まれたレコードの数がカウントされ、登録件数３８ＣＴにそのカウント値が書き込まれ（Ｓ１１６）、一時保存される（Ｓ１１７）。
【０１３５】
そして、ステップＳ１１７で保存された関連記事一覧全体リスト３８を用いて、関連記事閲覧部４２によって、コマンド名８３ＵＣＭとして「関連記事一覧リスト応答」と書き込まれ、全記事件数８３ＵＣＴとして登録件数３８ＣＴの値が書き込まれ、表示先頭位置８３ＵＴＰとして「１」が書き込まれ、送信件数８３ＵＳＫとして、インタフェースデータ８２の送信件数８２ＲＳＫが書き込まれ、見出し８３ＵＤＴ（＃ｎ）Ｍとして見出し３８Ｍ１（＃ｎ）が、種別８３ＵＤＴ（＃ｎ）Ｓとして種別３８Ｓ１（＃ｎ）が、素材識別番号８３ＵＤＴ（＃ｎ）Ｄとして素材識別番号３８Ｄ１（＃ｎ）がそれぞれ書き込まれることによって、関連記事一覧リスト応答データ８３が作成される（Ｓ１１８）。
【０１３６】
そして、この作成された関連記事一覧リスト応答データ８３が、インタフェースデータ８２の端末識別番号８２ＲＴＩに基づいて、要求元の携帯端末５５に、返信される（Ｓ１１９）。
【０１３７】
一方、ステップＳ１１２において、処理モード８２ＲＲＱが、「紙面未掲載関連記事検索指定」ではない場合（Ｓ１１２：Ｎｏ）には、他の処理モードの処理が行われる（Ｓ１２０）。
【０１３８】
このようにして、未掲載の素材データのみが対象とされた関連記事一覧リスト応答データ８３が携帯端末５５に送られる。それ以降の動作については、第１の実施の形態で説明した通りであり、この関連記事一覧リスト応答データ８３に基づいて携帯端末５５の表示画面５７から表示されたリストから、利用者５４が、見たい素材データを選択することにより、利用者５４の携帯端末５５にはその記事、簡易画像、あるいは精細画像といった素材データが送られる。
【０１３９】
上述したように、本実施の形態に係るポータルサイトシステム４０を用いた情報提供方法においては、第１の実施の形態で奏される作用効果に加えて、特に、印刷物に掲載されなかった情報のみを、利用者５４に提供することが可能となる。
【０１４０】
（第３の実施の形態）
本発明の第３の実施の形態について説明する。
【０１４１】
第１及び第２の実施の形態では、関連する素材データのリストをキーワードに基づいてピックアップしたが、本実施の形態では、第１の実施の形態を以下のように一部変更することによって、関連する素材データのリストをキーワードに基づいてピックアップすることに加えて、相関性のある素材データ同士の間に予めリンク情報を設定しておき、このリンク情報にしたがった素材データもまたピックアップする。このように、本実施の形態は、第１の実施の形態の変形例であるので、第１の実施の形態と異なる点について説明し、重複説明を避ける。
【０１４２】
すなわち、本実施の形態に係るポータルサイトシステムを用いた情報提供方法では、ポータルサイト用素材データベース３２に格納されるデータテーブルとして、図３２に示すようなデータ構成例のデータテーブル３７を用いる。このデータテーブル３７は、第１の実施の形態で用いたデータテーブル３４に、リンク素材の登録件数３７ＬＫ、及びこの件数（ｎ個）分のリンク素材の素材識別番号３７ＬＳｎを、新たなデータ構成として加えた構成としている。なお、各素材データの実体ファイルを格納するデータテーブル３６は、第１の実施の形態のものと同一である。
【０１４３】
このようなデータテーブル３７を用いた本実施の形態に係るポータルサイトシステム４０の動作について説明する。
【０１４４】
まず、図３３のフローチャートを用いて、利用者５４が携帯端末５５を用いてバーコード５２を読み取り、携帯端末５５の表示画面５７から、素材データの一覧が表示されるまでの動作について説明する。
【０１４５】
すなわち、利用者５４が新聞紙面５０の記事５１を閲覧し、この記事５１に関連する記事や画像を見たいと思った場合には、利用者５４は、この記事５１の近傍に印刷されたバーコード５２を、例えばカメラ付の携帯電話のようなバーコード読取機能付の携帯端末５５を用いて読み取る（Ｓ１２１）。
【０１４６】
すると、この読取情報に基づいて、ポータルサイトアクセス制御部５９によって、ポータルサイトシステム４０に対して関連記事の一覧要求を開始するためのインタフェースデータ８４が作成される（Ｓ１２２）。
【０１４７】
図３４は、このようなインタフェースデータ８４の構成例を示すデータ構成図であり、コマンド名８４ＲＣＭと、ポータルサイトＵＲＬ情報８４ＲＵＲと、処理モード８４ＲＲＱと、対象素材の素材識別番号８４ＲＫＲと、関連記事一覧リストの１回分の送信件数８４ＲＳＫと、端末識別番号８４ＲＴＩとからなる。コマンド名８４ＲＣＭは、この場合「処理開始要求」である。また、ポータルサイトＵＲＬ情報８４ＲＵＲと、処理モード８４ＲＲＱと、対象素材の素材識別番号８４ＲＫＲとは、バーコード５２の中に含まれている情報であるので、読取情報から作成される。また、関連記事一覧リストの１回分の送信件数８４ＲＳＫと、端末識別番号８４ＲＴＩとは、携帯端末５５固有の性能に依存するものであり、ポータルサイトアクセス制御部５９が、携帯端末５５の性能に基づいて作成する。
【０１４８】
そして、このようなインタフェースデータ８４が、ポータルサイトアクセス制御部５９によってポータルサイトシステム４０へ送信される（Ｓ１２３）。
【０１４９】
このインタフェースデータ８４に基づいて、ポータルサイトシステム４０では、図３５に示すような関連記事一覧リスト応答データ８５の生成処理がなされる。この処理内容については後述する。そして、この処理が終了すると、ポータルサイトシステム４０からポータルサイトアクセス制御部５９へと関連記事一覧リスト応答データ８５が応答され（Ｓ１２４、Ｓ１２５：Ｙｅｓ）、携帯端末５５の表示画面５７から関連記事一覧リストが表示される（Ｓ１２６）。
【０１５０】
次に、ポータルサイトシステム４０でなされる関連記事一覧リスト応答データ８５の生成処理について、図３６乃至図３８のフローチャートを用いて説明する。
【０１５１】
すなわち、携帯端末５５からポータルサイトシステム４０へ送信されたインタフェースデータ８４が、関連記事閲覧部４２によって受信される（Ｓ１３１）と、関連記事閲覧部４２によって、処理モード８４ＲＲＱが、「リンク素材検索指定」であるか否かが判定される（Ｓ１３２）。そして、処理モード８４ＲＲＱが、「リンク素材検索指定」である場合（Ｓ１３２：Ｙｅｓ）には、関連記事閲覧部４２によって、ポータルサイト用素材データベース３２から、インタフェースデータ８４の対象記事の素材識別番号８４ＲＫＲに対応する素材識別番号３７ＩＤを持つ素材データからキーワード３７ＫＷ１，３７ＫＷ２，３７ＫＷ３，・・・３７ＫＷｎ群が取得される（Ｓ１３３）。
【０１５２】
次に、関連記事閲覧部４２によって、現在の日時から、最新紙面掲載日付が求められる。つまり、現在の日時に基づいて、紙面掲載日付３５ＫＳから、最も最近に掲載された日付が求められる（Ｓ１３４）。
【０１５３】
更に、関連記事閲覧部４２によってポータルサイト用素材データベース３２が検索され、紙面掲載日付３７ＫＳが、ステップＳ１３４で求められた最新紙面掲載日付と等しく、かつ、キーワード３７ＫＷ１，３７ＫＷ２，３７ＫＷ３，・・・３７ＫＷｎ群と一致するキーワードを持つ素材データのレコードが抽出され、図１０に示すような関連記事一覧全体リスト３８における該当端末識別番号３８ＴＩに属するレコードとして積まれてゆく（Ｓ１３５）。
【０１５４】
そして、関連記事一覧全体リスト３８における先頭のレコードが対象とされて（Ｓ１３６）、関連記事閲覧部４２によって、ポータルサイト用素材データベース３２が検索され、現在対象とされているレコードの素材識別情報３８ＴＩに対してリンク設定された素材識別情報が取得される（Ｓ１３７）。
【０１５５】
その結果、リンク設定された素材データが取得された、すなわちリンク設定された素材データがあり（Ｓ１３８：Ｙｅｓ）、更に、このリンク設定された素材データの素材識別番号が、関連記事一覧全体リスト３８に登録されていない場合（Ｓ１３９：Ｎｏ）には、関連記事閲覧部４２によって、ポータルサイト用素材データベース３２が検索され、リンク設定された素材データの見出し及び記事種別が求められる（Ｓ１４０）。
【０１５６】
そして、ステップＳ１４０で見出し及び記事種別が求められた素材データが、その素材識別番号とともに、現在対象とされているレコードの直後のレコードの位置に挿入され、見出し３８Ｍ１、種別３８Ｓ１、及び素材識別番号３８Ｄ１として書き込まれる（Ｓ１４１）。
【０１５７】
以上のような処理が、対象レコードの素材に対してリンク設定された全ての素材データに対してなされ（Ｓ１４２：Ｙｅｓ）、かつ関連記事一覧全体リスト３８の全てのレコードに対してなされた場合（Ｓ１４３：Ｙｅｓ）には、関連記事閲覧部４２によって、当該携帯端末５５に対して積まれたレコードの数がカウントされ、登録件数３８ＣＴにそのカウント値が書き込まれ（Ｓ１４４）、一時保存される（Ｓ１４５）。
【０１５８】
そして、ステップＳ１４５で保存された関連記事一覧全体リスト３８を用いて、関連記事閲覧部４２によって、コマンド名８５ＵＣＭとして「関連記事一覧リスト応答」と書き込まれ、全記事件数８５ＵＣＴとして登録件数３８ＣＴの値が書き込まれ、表示先頭位置８５ＵＴＰとして「１」が書き込まれ、送信件数８５ＵＳＫとして、インタフェースデータ８４の送信件数８４ＲＳＫが書き込まれ、見出し８５ＵＤＴ（＃ｎ）Ｍとして見出し３８Ｍ１（＃ｎ）が、種別８５ＵＤＴ（＃ｎ）Ｓとして種別３８Ｓ１（＃ｎ）が、素材識別番号８５ＵＤＴ（＃ｎ）Ｄとして素材識別番号３８Ｄ１（＃ｎ）がそれぞれ書き込まれることによって、関連記事一覧リスト応答データ８５が作成される（Ｓ１４６）。
【０１５９】
そして、この作成された関連記事一覧リスト応答データ８５が、インタフェースデータ８４の端末識別番号８４ＲＴＩに基づいて、要求元の携帯端末５５に、返信される（Ｓ１４７）。
【０１６０】
一方、ステップＳ１４３において、関連記事一覧全体リスト３８のレコードのうちで、未処理のレコードがある場合（Ｓ１４３：Ｎｏ）には、次のレコードが対象とされて（Ｓ１４８）、ステップＳ１３７の処理に移行する。
【０１６１】
また、ステップＳ１４２において、対象レコードの素材に対してリンク設定された素材データのうち、未処理の素材データがある場合（Ｓ１４２：Ｎｏ）には、ステップＳ１３９の処理に移行する。
【０１６２】
また、ステップＳ１３９において、リンク設定された素材データの素材識別番号が、関連記事一覧全体リスト３８に登録済みである場合（Ｓ１３９：Ｙｅｓ）、及びステップＳ１３８において、リンク設定された素材データがない場合（Ｓ１３８：Ｎｏ）には、ステップＳ１４２の処理に移行する。
【０１６３】
また、ステップＳ１３２において、処理モード８４ＲＲＱが、「リンク素材検索指定」ではない場合（Ｓ１３２：Ｎｏ）には、他の処理モードの処理が行われる（Ｓ１４９）。
【０１６４】
このようにして、関連記事一覧リスト応答データ８５には、キーワードに基づいてピックアップした素材データと、リンク情報にしたがってピックアップした素材データとの両方が含まれるようになる。そして、このような関連記事一覧リスト応答データ８５が携帯端末５５に送られる。それ以降の動作については、第１の実施の形態で説明した通りであり、この関連記事一覧リスト応答データ８５に基づいて携帯端末５５の表示画面５７から表示されたリストから、利用者５４が、見たい素材データを選択することにより、利用者５４の携帯端末５５にはその記事、簡易画像、あるいは精細画像といった素材データが送られる。
【０１６５】
上述したように、本実施の形態に係るポータルサイトシステム４０を用いた情報提供方法においては、第１の実施の形態で奏される作用効果に加えて、特に、キーワードのみならず、予め設定したリンク情報にもしたがって関連する素材データのリストを作成することができる。したがって、利用者５４は、関連する素材データをより広範に選択することが可能となる。
【０１６６】
（第４の実施の形態）
本発明の第４の実施の形態について説明する。
【０１６７】
さて、既に述べたように、新聞では、配達地域特有の記事が掲載されている地方版と呼ばれる紙面が存在する。本実施の形態は、配達地域以外の地方版に掲載された記事に対しても、関連する素材データを、利用者５４の携帯端末５５に提供する例について説明する。本実施例もまた、第１の実施の形態を以下のように一部変更することによって可能となる。このように、本実施の形態は、第１の実施の形態の変形例であるので、第１の実施の形態と異なる点について説明し、重複説明を避ける。
【０１６８】
すなわち、本実施の形態に係るポータルサイトシステムを用いた情報提供方法では、ポータルサイト用素材データベース３２に格納されるデータテーブルとして、図３９に示すようなデータ構成例のデータテーブル３９を用いる。このデータテーブル３９は、第１の実施の形態で用いたデータテーブル３４に、配達地域情報３９ＬＤを、新たなデータ構成として加えた構成としている。なお、各素材データの実体ファイルを格納するデータテーブル３６は、第１の実施の形態のものと同一である。
【０１６９】
このようなデータテーブル３９を用いた本実施の形態に係るポータルサイトシステム４０の動作について説明する。
【０１７０】
まず、図４０のフローチャートを用いて、利用者５４が携帯端末５５を用いてバーコード５２を読み取り、携帯端末５５の表示画面５７から、素材データの一覧が表示されるまでの動作について説明する。
【０１７１】
すなわち、利用者５４が新聞紙面５０の地方版の記事５１を閲覧し、この記事５１に関連する記事や画像を見たいと思った場合には、利用者５４は、この記事５１の近傍に印刷されたバーコード５２を、例えばカメラ付の携帯電話のようなバーコード読取機能付の携帯端末５５を用いて読み取る（Ｓ１５１）。
【０１７２】
すると、この読取情報に基づいて、ポータルサイトアクセス制御部５９によって、ポータルサイトシステム４０に対して関連記事の一覧要求を開始するためのインタフェースデータ８２が作成される（Ｓ１５２）。
【０１７３】
図４１は、このようなインタフェースデータ８６の構成例を示すデータ構成図であり、コマンド名８６ＲＣＭと、ポータルサイトＵＲＬ情報８６ＲＵＲと、処理モード８６ＲＲＱと、対象素材の素材識別番号８６ＲＫＲと、配達地域識別番号８６ＲＬＤと、関連記事一覧リストの１回分の送信件数８６ＲＳＫと、端末識別番号８２ＲＴＩとからなる。コマンド名８６ＲＣＭは、この場合「処理開始要求」である。また、ポータルサイトＵＲＬ情報８６ＲＵＲと、処理モード８２ＲＲＱと、対象素材の素材識別番号８６ＲＫＲと、配達地域識別番号８６ＲＬＤとは、バーコード５２の中に含まれている情報であるので、読取情報から作成される。また、関連記事一覧リストの１回分の送信件数８６ＲＳＫと、端末識別番号８６ＲＴＩとは、携帯端末５５固有の性能に依存するものであり、ポータルサイトアクセス制御部５９が、携帯端末５５の性能に基づいて作成する。
【０１７４】
そして、このようなインタフェースデータ８６が、ポータルサイトアクセス制御部５９によってポータルサイトシステム４０へ送信される（Ｓ１５３）。
【０１７５】
このインタフェースデータ８６に基づいて、ポータルサイトシステム４０では、図４２に示すような関連記事一覧リスト応答データ８７の生成処理がなされる。この処理内容については後述する。そして、この処理が終了すると、ポータルサイトシステム４０からポータルサイトアクセス制御部５９へと関連記事一覧リスト応答データ８７が応答され（Ｓ１５４、Ｓ１５５：Ｙｅｓ）、携帯端末５５の表示画面５７から関連記事一覧リストが表示される（Ｓ１５６）。
【０１７６】
次に、ポータルサイトシステム４０でなされる関連記事一覧リスト応答データ８７の生成処理について、図４３のフローチャートを用いて説明する。
【０１７７】
すなわち、携帯端末５５からポータルサイトシステム４０へ送信されたインタフェースデータ８６が、関連記事閲覧部４２によって受信される（Ｓ１６１）と、関連記事閲覧部４２によって、処理モード８６ＲＲＱが、「地域関連記事検索指定」であるか否かが判定される（Ｓ１６２）。そして、処理モード８６ＲＲＱが、「地域関連記事検索指定」である場合（Ｓ１６２：Ｙｅｓ）には、関連記事閲覧部４２によって、ポータルサイト用素材データベース３２から、インタフェースデータ８６の対象記事の素材識別番号８６ＲＫＲに対応する素材識別番号３９ＩＤを持つ素材データからキーワード３９ＫＷ１，３９ＫＷ２，３９ＫＷ３，・・・３９ＫＷｎ群が取得される（Ｓ１６３）。
【０１７８】
次に、関連記事閲覧部４２によって、現在の日時から、最新紙面掲載日付が求められる。つまり、現在の日時に基づいて、紙面掲載日付３９ＫＳから、最も最近に掲載された日付が求められる（Ｓ１６４）。
【０１７９】
更に、関連記事閲覧部４２によってポータルサイト用素材データベース３２が検索され、紙面掲載日付３９ＫＳが、ステップＳ１６４で求められた最新紙面掲載日付と等しく、かつ、キーワード３９ＫＷ１，３９ＫＷ２，３９ＫＷ３，・・・３９ＫＷｎ群と一致するキーワードを持ち、かつ配達地域識別番号８６ＲＬＤと等しくない配達地域情報３９ＬＤを持つ素材データのレコードが抽出され、図３９に示すような関連記事一覧全体リスト３９における該当端末識別番号３９ＴＩに属するレコードとして積まれてゆく（Ｓ１６５）。
【０１８０】
当該携帯端末５５について、ステップＳ１６５において、関連記事一覧全体リスト３９にレコードが積まれ終わると、関連記事閲覧部４２によって、当該携帯端末５５に対して積まれたレコードの数がカウントされ、登録件数３９ＣＴにそのカウント値が書き込まれ（Ｓ１６６）、一時保存される（Ｓ１６７）。
【０１８１】
そして、ステップＳ１６７で保存された関連記事一覧全体リスト３９を用いて、関連記事閲覧部４２によって、コマンド名８７ＵＣＭとして「関連記事一覧リスト応答」と書き込まれ、全記事件数８７ＵＣＴとして登録件数３９ＣＴの値が書き込まれ、表示先頭位置８７ＵＴＰとして「１」が書き込まれ、送信件数８７ＵＳＫとして、インタフェースデータ８６の送信件数８６ＲＳＫが書き込まれ、見出し８７ＵＤＴ（＃ｎ）Ｍとして見出し３９Ｍ１（＃ｎ）が、種別８７ＵＤＴ（＃ｎ）Ｓとして種別３９Ｓ１（＃ｎ）が、素材識別番号８７ＵＤＴ（＃ｎ）Ｄとして素材識別番号３９Ｄ１（＃ｎ）がそれぞれ書き込まれることによって、関連記事一覧リスト応答データ８７が作成される（Ｓ１６８）。
【０１８２】
そして、この作成された関連記事一覧リスト応答データ８７が、インタフェースデータ８６の端末識別番号８６ＲＴＩに基づいて、要求元の携帯端末５５に、返信される（Ｓ１６９）。
【０１８３】
一方、ステップＳ１６２において、処理モード８６ＲＲＱが、「地域関連記事検索指定」ではない場合（Ｓ１６２：Ｎｏ）には、他の処理モードの処理が行われる（Ｓ１７０）。
【０１８４】
このようにして、配達地域以外の地方版に掲載された記事についても、関連する素材データが対象とされた関連記事一覧リスト応答データ８７が携帯端末５５に送られる。それ以降の動作については、第１の実施の形態で説明した通りであり、この関連記事一覧リスト応答データ８７に基づいて携帯端末５５の表示画面５７から表示されたリストから、利用者５４が、見たい地方版の素材データを選択することにより、利用者５４の携帯端末５５にはその記事、簡易画像、あるいは精細画像といった素材データが送られる。
【０１８５】
上述したように、本実施の形態に係るポータルサイトシステム４０を用いた情報提供方法においては、第１の実施の形態で奏される作用効果に加えて、特に、配達地域以外の紙面に掲載された記事に対しても、関連する素材データを、利用者５４の携帯端末５５に提供することが可能となる。
【０１８６】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０１８７】
【図１】本発明の第１の実施の形態に係るポータルサイトシステムを用いた情報提供方法の概略を示すための概念図。
【図２】新聞制作システム２０の詳細な構成例を示す機能ブロック図。
【図３】ポータルサイト用素材データベースに記憶された素材データのデータ構成例を示すデータ構成図。
【図４】ポータルサイト用素材データベースに記憶された素材データを示すデータ構成図。
【図５】携帯端末、中間サーバ、及びポータルサイトシステムの構成例を示す機能ブロック図。
【図６】バーコードを読み取った携帯端末から、関連する素材データの一覧が表示されるまでの動作を示すフローチャート。
【図７】インタフェースデータ７２の構成例を示すデータ構成図。
【図８】関連記事一覧リスト応答データ７３の構成例を示すデータ構成図。
【図９】関連記事一覧リスト応答データ７３の生成処理の流れを示すフローチャート。
【図１０】関連記事一覧全体リストの構成例を示すデータ構成図。
【図１１】未表示の見出しを送り出し表示させる処理の流れ示すフローチャート。
【図１２】インタフェースデータ７４の構成例を示すデータ構成図。
【図１３】関連記事一覧リスト応答データ７５の構成例を示すデータ構成図。
【図１４】関連記事一覧リスト応答データ７５の生成処理の流れを示すフローチャート。
【図１５】素材データのテキストが携帯端末に送信されるまでの処理を示すフローチャート。
【図１６】インタフェースデータ７６の構成例を示すデータ構成図。
【図１７】関連記事テキスト応答データ７７の構成例を示すデータ構成図。
【図１８】関連記事テキスト応答データ７７の生成処理の流れを示すフローチャート。
【図１９】簡易画像が携帯端末に送信されるまでの処理の動作を示すフローチャート。
【図２０】インタフェースデータ７８の構成例を示すデータ構成図。
【図２１】関連記事簡易画像応答データ７９の構成例を示すデータ構成図。
【図２２】関連記事簡易画像応答データ７９の生成処理の流れを示すフローチャート。
【図２３】精細画像が携帯端末に送信されるまでの処理の動作を示すフローチャート。
【図２４】インタフェースデータ８０の構成例を示すデータ構成図。
【図２５】関連記事精細画像応答データ８１の構成例を示すデータ構成図。
【図２６】関連記事精細画像応答データ８１の生成処理の流れを示すフローチャート。
【図２７】データテーブル３５の構成例を示すデータ構成図。
【図２８】関連する未掲載の素材データの一覧を携帯端末から表示させる処理の流れを示すフローチャート。
【図２９】インタフェースデータ８２の構成例を示すデータ構成図。
【図３０】関連記事一覧リスト応答データ８３の構成例を示すデータ構成図。
【図３１】関連記事一覧リスト応答データ８３の生成処理の流れを示すフローチャート。
【図３２】データテーブル３７の構成例を示すデータ構成図。
【図３３】素材データの一覧を携帯端末から表示させるまでの動作を示すフローチャート。
【図３４】インタフェースデータ８４の構成例を示すデータ構成図。
【図３５】関連記事一覧リスト応答データ８５の構成例を示すデータ構成図。
【図３６】関連記事一覧リスト応答データ８５の生成処理の流れを示すフローチャート（１／３）。
【図３７】関連記事一覧リスト応答データ８５の生成処理の流れを示すフローチャート（２／３）。
【図３８】関連記事一覧リスト応答データ８５の生成処理の流れを示すフローチャート（３／３）。
【図３９】データテーブル３９の構成例を示すデータ構成図。
【図４０】関連する未掲載の素材データの一覧を携帯端末から表示させるまでの動作を示すフローチャート。
【図４１】インタフェースデータ８６の構成例を示すデータ構成図。
【図４２】関連記事一覧リスト応答データ８７の構成例を示すデータ構成図。
【図４３】関連記事一覧リスト応答データ８７の生成処理の流れを示すフローチャート。
【符号の説明】
【０１８８】
１０…新聞社、２０…新聞制作システム、２１…素材受信装置、２２…記者端末、２３…素材管理サーバ、２４…素材データ記憶装置、２５…素材編集端末、２６…組版編集サーバ、２７…紙面データ記憶装置、２８…組版端末、２９…出力サーバ、３０…プリンタ／プロッタ、３２…ポータルサイト用素材データベース、３４〜３７…データテーブル、３８…関連記事一覧全体リスト、３９…データテーブル、４０…ポータルサイトシステム、４２…関連記事閲覧部、４４…関連記事一覧全体リストテーブル、５０…新聞紙面、５１…記事、５２…バーコード、５３…アクセス情報、５４…利用者、５５…携帯端末、５６…カメラ、５７…表示画面、５８…キーボード、５９…ポータルサイトアクセス制御部、６０…一覧表示、６１…記事や画像、６２…中間サーバ、７２…インタフェースデータ、７３…関連記事一覧リスト応答データ、７４…インタフェースデータ、７５…関連記事一覧リスト応答データ、７６…インタフェースデータ、７７…関連記事テキスト応答データ、７８…インタフェースデータ、７９…関連記事簡易画像応答データ、８０…インタフェースデータ、８１…関連記事精細画像応答データ、８２…インタフェースデータ、８３…関連記事一覧リスト応答データ、８４…インタフェースデータ、８５…関連記事一覧リスト応答データ、８６…インタフェースデータ、８７…関連記事一覧リスト応答データ
【図１】
2006244071.tif 000003
【図２】
2006244071.tif 000004
【図３】
2006244071.tif 000005
【図４】
2006244071.tif 000006
【図５】
2006244071.tif 000007
【図６】
2006244071.tif 000008
【図７】
2006244071.tif 000009
【図８】
2006244071.tif 000010
【図９】
2006244071.tif 000011
【図１０】
2006244071.tif 000012
【図１１】
2006244071.tif 000013
【図１２】
2006244071.tif 000014
【図１３】
2006244071.tif 000015
【図１４】
2006244071.tif 000016
【図１５】
2006244071.tif 000017
【図１６】
2006244071.tif 000018
【図１７】
2006244071.tif 000019
【図１８】
2006244071.tif 000020
【図１９】
2006244071.tif 000021
【図２０】
2006244071.tif 000022
【図２１】
2006244071.tif 000023
【図２２】
2006244071.tif 000024
【図２３】
2006244071.tif 000025
【図２４】
2006244071.tif 000026
【図２５】
2006244071.tif 000027
【図２６】
2006244071.tif 000028
【図２７】
2006244071.tif 000029
【図２８】
2006244071.tif 000030
【図２９】
2006244071.tif 000031
【図３０】
2006244071.tif 000032
【図３１】
2006244071.tif 000033
【図３２】
2006244071.tif 000034
【図３３】
2006244071.tif 000035
【図３４】
2006244071.tif 000036
【図３５】
2006244071.tif 000037
【図３６】
2006244071.tif 000038
【図３７】
2006244071.tif 000039
【図３８】
2006244071.tif 000040
【図３９】
2006244071.tif 000041
【図４０】
2006244071.tif 000042
【図４１】
2006244071.tif 000043
【図４２】
2006244071.tif 000044
【図４３】
2006244071.tif 000045